(57)【要約】【課題】クリーンルームの前室として使用されるエアシャワー装置において入室者の除塵清浄化の作業のための入室者が自身の観察を行う鏡の設置がエアシャワー吹出ノズルにより阻害されることがないエアシャワー装置を得る。【解決手段】塵埃等の除去空間を仕切った隔壁３に、前記空間にエアシャワーを噴射するエアシャワー吹出ノズル１０を配してなるエアシャワー装置１において、前記隔壁３の表面及びエアシャワー吹出ノズル１０を鏡面状反射面にしたエアシャワー装置１とした。又、塵埃等の除去空間を仕切った隔壁３に、エアシャワー吹出ノズル１０を、複数配すると共に、隔壁３の一部エリアを他部に比してエアシャワー吹出ノズル１０の配置密度を少なくし、平面反射面の広がりを他部に比して拡大した拡大反射面を配したものとした。【選択図】図１
0003171845.tif 000002
【実用新案登録請求の範囲】
【請求項１】
塵埃等の除去空間を仕切った壁面に、前記空間にエアシャワーを噴射するエアシャワー吹出ノズルを配してなるエアシャワー装置において、前記壁面及びエアシャワー吹出ノズルを鏡面状反射面としたことを特徴とするエアシャワー装置。
【請求項２】
塵埃等の除去空間を仕切った壁面に、前記空間にエアシャワー吹出ノズルを、複数配すると共に、壁面の一部エリアを他部に比してエアシャワー吹出ノズルの配置密度を少なくし、平面反射面の広がりを他部に比して拡大した拡大反射面を配したことを特徴とする請求項１記載のエアシャワー装置。 
【考案の詳細な説明】
【技術分野】
【０００１】
本考案は、クリーンルーム等清浄な環境に維持された空間への入口に設置され、入室者に付着して塵埃等がクリーンルーム等に侵入するのを防止するため、入室者に予めエアシャワーを吹き付け、付着物を取り去るエアシャワー装置に関する。
【背景技術】
【０００２】
クリーンルーム等の清浄作業空間への入室時、入室者に塵埃や菌が付着して、それがクリーンルーム等に侵入するのを防止するために、クリーンルーム入口にはエアシャワー装置が設けられており、入室者はエアシャワー等の噴気流により付着物を取り除く作業が行われている。その効果を確認出来るよう、例えば身体の背面その他を容易に観察出来るよう、鏡をエアシャワー装置の壁面に取り付けることが行われている（特許文献１）が、エアノズルなどのエアシャワー吹出ノズルが配置された壁面では、その設置場所の選定が容易ではない。
【０００３】
また、エアシャワー装置の壁面にエアシャワー吹出ノズルを列設し壁前面を通過する人に広くエアを吹き当てようとする装置（特許文献２）では壁面がエアシャワー吹出ノズルで被われるが如き状態を呈し、鏡の設置には厳しいものがあった。
【先行技術文献】
【特許文献】
【０００４】
【特許文献１】実開昭６２−７６８４８号公報
【特許文献２】実用新案登録第３０８９５６１号公報
【考案の概要】
【考案が解決しようとする課題】
【０００５】
本考案は上記の点に鑑みて、クリーンルームの前室として使用されるエアシャワー装置において、入室者の除塵清浄化の作業のため入室者が自身の観察を行う鏡の設置がエアシャワー吹出ノズルにより阻害されることがないエアシャワー装置を得ることを目的とする。
【課題を解決するための手段】
【０００６】
上記課題を解決するために、請求項１の発明は、塵埃等の除去空間を仕切った壁面に、前記空間にエアシャワーを噴射するエアシャワー吹出ノズルを配してなるエアシャワー装置において、前記壁面及びエアシャワー吹出ノズルを鏡面状反射面にしたエアシャワー装置とした。
請求項２の発明は、請求項１記載のエアシャワー装置であって、塵埃等の除去空間を仕切った壁面に、前記空間にエアシャワー吹出ノズルを、複数配すると共に、壁面の一部エリアを他部に比してエアシャワー吹出ノズルの配置密度を少なくし、平面反射面の広がりを他部に比して拡大した拡大反射面を配したものとした。
【考案の効果】
【０００７】
本考案エアシャワー装置は、塵埃等の除去空間を仕切った壁面に、前記空間にエアシャワーを噴射するエアシャワー吹出ノズルを配してなるエアシャワー装置において、前記壁面及びエアシャワー吹出ノズルを鏡面状反射面としたために、エアシャワー吹出ノズルを含め装置の内壁面全面が鏡と同様になり入室者の姿態全体を映すことが出来るようになり、従来装置の如く、入室者の姿の一部が映らず完全に対象者を観察することが出来ないと云う事態をなくすことが出来る。ただ、エアシャワー吹出ノズル部分は平面ではないために反射して観察者の目に入った形態は歪みが生ずることになるが、例えば付着物の存在等は明確に判別することが出来る。
【０００８】
また、本考エアシャワー案装置にあっては、塵埃等の除去空間を仕切った壁面に、前記空間にエアシャワー吹出ノズルを、複数配置すると共に、壁面の一部エリアを他部に比してエアシャワー吹出ノズルの配置密度を少なくし、平面反射面の広がりを他部に比して拡大した拡大反射面を配したためにノズルの配置密度の少ない壁面は平面部分が広くなるための歪みの少ない像の得られるスペースが広くなり、このような壁面を壁面中央に配すれば被検査者の姿態を歪みの少ない像で広く観察することが出来る。
【図面の簡単な説明】
【０００９】
【図１】本考案エアシャワー装置の一部縦断正面図。
【図２】本考案エアシャワー装置の一部縦断側面図で、Ａは第１の例を、Ｂは第２の例を示す。
【図３】本考案エアシャワー装置の一部横断平面図で、Ａは第１の例を、Ｂは第２の例を示す。
【考案を実施するための形態】
【００１０】
本考案を実施するための形態を図面と共に次に説明する。
本考案エアシャワー装置１は、箱形の本体ケース２内に隔壁３，３を対向して設けることによって、隔壁３，３間を本体ケース２内を貫通するシャワー室４とし、隔壁３と本体ケース２との間は、空気清浄化室５としている。シャワー室４の両端にはドア６，６が設けられ一方は外部に、他方はクリーンルームに連なっている。
【００１１】
空気清浄化室５内には、プレフィルター７，ターボファン８，メインフィルター９，清浄空気吹出ノズル１０等が配置され、シャワー室４からプレフィルター７を通して空気清浄化室５に吸引されたエアは、メインフィルター９により清浄化されエアシャワー吹出ノズル１０からシャワー室４に吹き出される。空気清浄化室５内の一部のエアはダクト１１からエアシャワー装置１外に放出される。
【００１２】
シャワー室４と空気清浄化室５との間に位置する隔壁３には、シャワー室４に向け空気清浄化室５内の清浄空気を吹き出すようエアシャワー吹出ノズル１０が設けられているが、図２のＡに示す例では縦列に並んだ複数のノズル１０の列が３本並列して配置され、図２のＢに示す例では隔壁３の両側に縦方向にそれぞれ並んだノズルが示されている。図２Ｂの例では中央部分にノズルが位置しない構成となっているが、その理由は、後述する隔壁３の表面の構成上の特徴によるもので、本考案装置では、空気清浄化室の隔壁３の表面は鏡面状の高反射処理を行うことによって、シャワー室４内でシャワー処理を受けた者が、その効果を目視することが出来るようにしている。そのためのエアシャワー吹出ノズルを、隔壁３の端縁部に近く配置し、中央部位のミラー効果を高めるようにしている。この例では隔壁３の各側部に縦1列ずつのノズルを配することでノズル列間の間隔は広がるが、ノズルの噴出口は、球状体で支えられ自由にこの方向を変更できるものであるため、隔壁中央に吹出口を向けることが出来、除塵効果を低下させることはない。
【００１３】
図２Ａに示す如き、エアシャワー吹出ノズル１０が３列配置されている例にあっては、中央部位の反射効果が中央列のノズルの存在により妨げられるのを防ぐため、中央列のエアシャワー吹出ノズル１０には、表面に反射率の高い処理をした高反射率ノズルを配置することで、映りの障害を低減し全身の映る姿見の効果を上げている。
【００１４】
また、隔壁３の中央部位にエアシャワー吹出ノズルが位置する例にあっては、最上位にある中央部位のノズルの位置が両側列の最上位にあるノズルの高さよりも低くすることにより、例えば立位置の人物の顔の位置が最上位のノズルより高くなるため、頭部などの反射映像がエアシャワー吹出ノズルで乱れることは防止できる。
【００１５】
更に図２Ｂに示す例の如く、エアシャワー吹出ノズルの配置密度を、隔壁３の所定部位（図示の例では中央部）において少なくすることによって隔壁３の面積を広げ、平面反射面１２の広がりを拡大することによって反射影像の確認を容易とすることも可能である。
尚、本考案装置にあって、隔壁，エアシャワー吹出ノズル等の表面の反射率を高める手段は、例えばステンレス素材を研磨するとか、適宜素材の表面にメッキ塗装等の光沢処理をするとか任意の手段を採用することが出来る。
【符号の説明】
【００１６】
１    エアシャワー装置
２    本体ケース
３    隔壁
４    シャワー室
５    空気清浄化室
６    ドア
７    プレフィルター
８    ターボファン
９    メインフィルター
１０  エアシャワー吹出ノズル
１１  ダクト
１２  平面反射面 
【図１】
0003171845.tif 000003
【図２】
0003171845.tif 000004
【図３】
0003171845.tif 000005